(57)【特許請求の範囲】
【請求項１】
工具カップリング部と少なくとも一つの半径方向に向けられたスロットとを備えて成る内側ハンドルと、
半径方向に向けられたスロットに配置される少なくとも一つのインターフェイス部材であって、内側ハンドルの長手方向軸に沿って向けられた細長い表面を備えて成るインターフェイス部材と、
内側ハンドル（２０）の近位端（２２）に配置されるバイアスアセンブリ開口に配置されるバイアス部材とリテーナとの間に圧縮されて入れられるコイルバネであって、半径方向外側にインターフェイス部材をバイアスする長手方向バイアス力を提供するための長手方向に沿って向けられたコイルバネと、
複数の溝又は平坦部を設けるか、あるいは滑り止め面を設けて、且つ、長手方向軸に沿って向けられる外側表面と、インターフェイス部材の半径方向の変位を制限する内面と、を有する外側ハンドルと、を備えて成り、
外側ハンドルの内面と直接接触するインターフェイス部材上の細長い表面は、少なくとも１２．７ミリメートルの長さで且つ内側ハンドルの長手方向軸に沿って向けられる係合の細長い表面領域を備えて成り、内側ハンドル、外側ハンドル及びインターフェイス部材のうちの一つ又はそのいくつかが高分子材料より成るトルク制限工具。
【請求項２】
工具カップリング部が、内側ハンドルの長手方向軸に沿って延びる工具収容開口を備えて成る、請求項１の工具。
【請求項３】
工具カップリング部が、内側ハンドルの外側表面を備えて成る、請求項１の工具。
【請求項４】
工具カップリング部と取り外し可能に係合するのに適合された複数の工具各々を備えて成る、請求項１の工具。
【請求項５】
バイアスアセンブリ開口が、半径方向に向けられたスロットに連結される、請求項１の工具。
【請求項６】
バイアスアセンブリ開口の近位端が、ねじ部を備えて成る、請求項１の工具。
【請求項７】
半径方向に向けられたスロットが、少なくとも一つの斜めの表面を備えて成る、請求項１の工具。
【請求項８】
インターフェイス部材が、長手方向軸に対して鋭角にバイアスアセンブリ開口の方へ向けられた少なくとも一つの表面を備えて成る、請求項１の工具。
【請求項９】
インターフェイス部材の細長い表面は、長手方向バイアス力が取り除かれると、内側ハンドルの外側表面と同一平面になる、請求項１の工具。
【請求項１０】
バイアス力が、インターフェイス部材の細長い表面を内側ハンドルの外側表面より上に移動させる、請求項１の工具。
【請求項１１】
細長い表面が、２５．４ミリメートルの長さである、請求項１の工具。
【請求項１２】
細長い表面が、曲線からなる形状を備えて成る、請求項１の工具。
【請求項１３】
細長い表面が、平坦部を備えて成る、請求項１の工具。
【請求項１４】
バイアスアセンブリが、スプリングを備えて成る、請求項１の工具。
【請求項１５】
長手方向バイアス力が、調整可能である、請求項１の工具。
【請求項１６】
バイアス部材がインターフェイス部材と係合するリーディングエッジを備えて成り、リテーナが内側ハンドルの近位端と係合する、請求項１の工具。
【請求項１７】
バイアス部材のリーディングエッジが、長手方向軸に対して鋭角を形成する、請求項１６の工具。
【請求項１８】
バイアス部材が、バイアスアセンブリ開口とスライド可能に係合する、請求項１６に記載の工具。
【請求項１９】
リテーナが、内側ハンドルの近位端とねじ止めで係合する、請求項１の工具。
【請求項２０】
内側ハンドルの近位端に対するリテーナの位置が、調節可能である、請求項１に記載の工具。
【請求項２１】
外側ハンドルの内面が、複数の移動止めを備えて成る、請求項１の工具。
【請求項２２】
外側ハンドルの内面が、曲線をなす表面を備えて成る、請求項１の工具。
【請求項２３】
外側ハンドルの内面が、凹凸の無い滑らかな表面を備えて成る、請求項１の工具。
【請求項２４】
外側ハンドルの内面が、非対称構造を備えて成る、請求項１の工具。
【請求項２５】
外側ハンドルが、内側ハンドルを囲む、請求項１の工具。
【請求項２６】
工具カップリング部に加えられるトルクが限界値を超えると、インターフェイス部材が、半径方向内側に移動させられる、請求項１の工具。
【請求項２７】
工具カップリング部に加えられるトルクが限界値を超えると、内側ハンドルが、外側ハンドル内で回転する、請求項１の工具。
【請求項２８】
外側ハンドルに対する内側ハンドルの回転が、双方向である、請求項２７の工具。
【請求項２９】
第一方向で内側ハンドルに加えられる限界値を超えるトルクによって、内側ハンドルが外側ハンドル内で第一方向に回転させられ、第二方向で内側ハンドルに加えられる限界値を超えるトルクでは、内側ハンドルを外側ハンドル内で回転させない、請求項１の工具。
【請求項３０】
内側ハンドルを収容するのに適合させられた中央開口への一次孔を有する細長い外側ハンドルと、
外側ハンドルに内側ハンドルを保持するのに適合させられたキャップと、
を備えて成る、請求項１の工具。
【請求項３１】
内側ハンドル、外側ハンドル及びインターフェイス部材のうちの一つ又はそのいくつかが、金属、セラミック、高分子材料に強化材料が含まれた複合材料、又は、これら金属、セラミック、複合材料の混合物から成る、請求項１の工具。
【請求項３２】
工具カップリング手段と少なくとも一つの半径方向に向けられたスロットとを備えて成る内側ハンドルと、
半径方向に向けられたスロットに配置される少なくとも一つのインターフェイス手段であって、内側ハンドルの長手方向軸に沿って向けられた細長い表面を備えて成るインターフェイス手段と、
内側ハンドル（２０）の近位端（２２）に配置されるバイアスアセンブリ開口でバイアス部材とリテーナとの間に圧縮力を持って入れられ、且つ、半径方向外側にインターフェイス手段をバイアスする長手方向バイアス力を提供するために長手方向に沿って向けられるコイルバネと、
複数の溝又は平坦部を設けるか、あるいは滑り止め面を設けて、且つ、長手方向軸に沿って向けられる外側表面と、インターフェイス部材の半径方向の変位を制限する内面と、を有する外側ハンドルと、を備えて成り、
外側ハンドルの内面と直接接触するインターフェイス手段上の細長い表面は、少なくとも１２．７ミリメートルの長さで且つ内側ハンドルの長手方向軸に沿って向けられる係合の細長い表面領域を備えて成り、内側ハンドル、外側ハンドル及びインターフェイス手段のうちの一つ又はそのいくつかが高分子材料より成る、トルク制限工具。
【請求項３３】
トルク伝達を制限する方法にして、
内側ハンドルの長手方向軸に沿って、長手方向バイアス力を発生させるステップと、
コイルバネを、内側ハンドル（２０）の近位端（２２）に配置されるバイアスアセンブリ開口でリテーナとバイアス部材との間に圧縮させて位置決めするステップであって、コイルバネが長手方向バイアス力を提供するために長手方向軸に沿って向けられるステップと、
一つ以上のインターフェイス部材に長手方向バイアス力を連結するステップであって、長手方向バイアス力が一つ以上のインターフェイス部材上の長手方向に向けられた細長い表面を半径方向外側にバイアスするステップと、
外側ハンドル内に内側ハンドルの少なくとも一部分を位置決めするステップであって、外側ハンドルが、複数の溝又は平坦部を設けるか、あるいは滑り止め面を設けて、且つ、長手方向軸に沿って向けられる外側グリップ表面を有するステップと、
一つ以上のインターフェイス部材上の細長い表面が、少なくとも１２．７ミリメートルの長さで且つ内側ハンドルの長手方向軸に沿って向けられる係合の細長い表面領域を備えて成る外側ハンドルの内面と直接接触するように、外側ハンドル内で一つ以上のインターフェイス部材の半径方向の動作を抑えるステップであって、内側ハンドル、外側ハンドル及び一つ以上のインターフェイス部材のうちの一つ又はそのいくつかが高分子材料から成るステップと、
内側ハンドルに加えられるトルクが限界値を超えると、内側ハンドルを外側ハンドルに対して回転させることを可能にするステップと、
を備えて成る方法。
【請求項３４】
複数の工具の一つを内側ハンドルに連結することを備えて成る、請求項３３の方法。
【請求項３５】
長手方向バイアス力を調整することを備えて成る、請求項３３の方法。
【請求項３６】
細長い表面を内側ハンドルの外側表面より上に移動させることを備えて成る、請求項３３の方法。
【請求項３７】
内側ハンドルに加えられるトルクが限界値を超えると、一つ以上のインターフェイス部材を半径方向内側に移動させることを備えて成る、請求項３３の方法。
【請求項３８】
外側ハンドルに対する内側ハンドルの回転が、双方向である、請求項３３の方法。
【請求項３９】
限界値を超えるトルクを第一方向で内側ハンドルに加えると、内側ハンドルが第一方向では外側ハンドル内で回転するステップと、
限界値を超えるトルクを第二方向で内側ハンドルに加えても、内側ハンドルが第二方向では外側ハンドル内で回転することを許容しないステップと、
を備えて成る、請求項３３の方法。
【請求項４０】
長手方向バイアス力を提供するスプリングを内側ハンドルから取り除くステップと、
内側ハンドルに異なったバネ定数を有する異なるスプリングを挿入するステップと、
を備えて成る、請求項３３の方法。
【発明の詳細な説明】
【技術分野】
【０００１】
本発明は、外側ハンドルの内面に対して半径方向外側にインターフェイス部材をバイアスするための長手方向バイアス力を用いるトルク制限工具と、トクル伝達を制限する方法に関する。
【背景技術】
【０００２】
過度の又は小さすぎるトルクで、ナット、ボルト、又は、他の締め具を取付けることが不利な受け渡し地点において、システム、機構、又は機器を組立てる多くの状況が存在する。この問題点に対する一つの解決法は、そのような締め具に所定量のトルクを加えるために調整されたトルクレンチ又は類似の機器を提供することである。所定量のトルクを加えると、トルクレンチは滑り、締め具はもはや回転せず、その結果、締め具によって固定される対象物又は締め具に対するダメージを防止する。
【０００３】
そのようなトルクレンチは、従来からよく知られている。しかしながら、多くの既存のトルクレンチでは、高い力で扱うために対磨耗金属から製造されなければならない複雑な駆動機構及び圧縮スプリングを含む多数の構成部品を必要とする。さらに、そのようなトルクレンチは、多数の構成部品と、それらをレンチハンドルの内側に位置させる方式とのせいで、しばしば大きくて扱いにくい。
【発明の開示】
【発明が解決しようとする課題】
【０００４】
本発明は、結果としてより小さな複雑性で且つより低コストになる、減じた構成部品数のトルクレンチを目的とする。本トルクレンチは、従来のトルクレンチよりもより大きな表面領域にわたって力を分散し、結果として金属等のより高コストで耐磨耗性のある材料のための必要性を減じる。プラスチックのような低コスト材料に置き換えることができる。
【課題を解決するための手段】
【０００５】
トルク制限工具は、工具カップリング部を有する内側ハンドルと、内側ハンドルの近位端に配置されるバイアスアセンブリ開口と、少なくとも一つの半径方向に向けられたスロットと、を具備する。少なくとも一つのインターフェイス部材は、半径方向に向けられたスロットに配置される。インターフェイス部材は、工具の長手方向軸に沿って向けられた細長い表面を備えて成る。半径方向外側にインターフェイス部材をバイアスする長手方向バイアス力を提供するバイアスアセンブリは、バイアスアセンブリ開口に配置される。内面を有する外側ハンドルは、インターフェイス部材の半径方向変位を制限する。
【０００６】
工具カップリング部は、内側ハンドルの長手方向軸に沿って延びる工具収容開口か又は内側ハンドルの外側表面とすることができる。工具カップリング部と取り外し可能に係合する複数の工具が、好ましくは提供される。
【０００７】
バイアスアセンブリ開口は、概して、半径方向に向けられたスロットに連結される。バイアスアセンブリ開口の近位端は、ねじ部を好ましくは具備する。半径方向に向けられたスロットは、少なくとも一つの斜めの表面（angled surface）を好ましくは具備する。インターフェイス部材は、長手方向軸に対して鋭角にバイアスアセンブリ開口の方を向けられた少なくとも一つの表面を好ましくは具備する。
【０００８】
インターフェイス部材の細長い表面は、長手方向バイアス力が取り除かれると、内側ハンドルの外側表面と同一平面になる。バイアス力は、内側ハンドルの外側表面より上にインターフェイス部材の細長い表面を移動させる。細長い表面は、少なくとも１２．７ミリメートルの長さであり、より好ましくは少なくとも２５．４ミリメートルの長さである。細長い表面は、曲線からなってもよいし、平らであってもよいし、又は、様々な他の形状であってもよい。
【０００９】
長手方向バイアス力は、概してスプリングによって提供される。長手方向バイアス力は、好ましくは可調整である。
【００１０】
一つの実施形態において、バイアスアセンブリは、インターフェイス部材と係合させられるリーディングエッジを備えたバイアス部材を具備する。リテーナ（retainer）は、内側ハンドルの近位端と係合する。スプリングは、圧縮されて、バイアス部材とリテーナとの間に入る。バイアス部材のリーディングエッジは、好ましくは長手方向軸に対して鋭角を形成する。バイアス部材は、好ましくはバイアスアセンブリ開口とスライド可能に係合する。一つの実施形態において、リテーナは、内側ハンドルの近位端に対するリテーナの位置が調節可能であるように、内側ハンドルの近位端とねじ止めで係合させられる。
【００１１】
外側ハンドルの内面は、移動止め等の様々な構造を具備することができる。あるいはまた、内面は、曲線からなってもよいし、滑らかであってもよいし、対称若しくは非対称であってもよいし、規則的若しくは不規則であってもよい。
【００１２】
操作において、工具カップリング部に加えられたトルクが限界値乃至しきい値を越えると、インターフェイス部材は、半径方向内側に移動させられる。内側ハンドルは、工具カップリング部に加えられたトルクが限界値を越えると、外側ハンドル内で回転する。外側ハンドルに対する内側ハンドルの回転は、単一方向であってもよいし、又は、双方向であってもよい。
【００１３】
限界値を超えるトルクが、第一方向で内側ハンドルに加えられると、内側ハンドルは、外側ハンドル内で第一回転方向に回転する。限界値を超えるトルクが、第二方向で内側ハンドルに加えられると、内側ハンドルは、外側ハンドル内で回転しない。内側ハンドル、インターフェイス部材、及び、外側ハンドルは、高分子材料に強化材料が含まれた複合材料、又は、これら金属、セラミック、複合材料の混合物から作ることができる。
【００１４】
本発明は、トルク伝達を制限する方法をも目的とする。長手方向バイアス力は、内側ハンドルの長手方向軸に沿って発生させられる。長手方向バイアス力は、一つ以上のインターフェイス部材に連結させられる。長手方向バイアス力は、インターフェイス部材上の長手方向に向けられた細長い表面を半径方向外側にバイアスする。インターフェイス部材の半径方向の動作は、内側ハンドルの少なくとも一部分を囲む外側ハンドルによって抑えられる。内側ハンドルに加えられるトルクが限界値を超えると、外側ハンドルに対して内側ハンドルを回転させることができる。
【００１５】
本方法は、複数の工具の一つを内側ハンドルに連結することを具備する。長手方向バイアス力もまた、調節可能である。細長い表面は、内側ハンドルの外側表面より上に移動させられる。インターフェイス部材は、内側ハンドルに加えられるトルクが限界値を超えると、半径方向内側に移動させられる。内側ハンドルは、内側ハンドルに加えられるトルクが限界値を超えると、外側ハンドル内で回転させられる。外側ハンドルに対する内側ハンドルの回転は、一方向であってもよいし、双方向であってもよい。
【００１６】
一つの実施形態において、本方法は、限界値を超えたトルクを第一方向で内側ハンドルに加えると、内側ハンドルが第一方向において外側ハンドル内で回転することを具備する。しかしながら、限界値を超えるトルクが、第二方向で内側ハンドルに加えられると、内側ハンドルは、外側ハンドル内で第二方向に回転しない。
【発明を実施するための最良の形態】
【００１７】
図１は、本発明にしたがうトルク制限工具（例えば、図１５、２３、２４参照）のための内側ハンドル２０を図解する。内側ハンドル２０は、近位端２２と遠位端２４とを具備する。内側ハンドル２０の遠位端２４は、工具カップリング部２５を具備する。図解された実施形態において、工具カップリング部２５は、長手方向軸２８に沿って延びる収容開口２６を備えて成る。工具収容開口２６は、図１５に図解されるように、様々な工具８０と取り外し可能に係合するために構成される。あるいはまた、工具８０は内側ハンドル２０２の外側表面２１６と連結する（例えば、図２４参照）。
【００１８】
図１及び２に見られるように、遠位端２４を先細りにすることができる。あるいはまた、遠位端２４を直線状にしてもよいし、又は、様々な別の対称形状若しくは非対称形状にしてもよい。例えば、プラスドライバー、マイナスドライバー、レンチ、ソケットレンチ、又は、多数の代わりの工具等の様々な工具８０を工具カップリング部に連結することができる。
【００１９】
内側ハンドル２０は、近位端２２に又はその近くに配置されるバイアスアセンブリ開口３０を具備する。バイアスアセンブリ開口３０の近位端２２は、好ましくはねじ部３６を具備する。あるいはまた、ねじ部３６を内側ハンドル２０の外側表面３４上に配置することができる。別の実施形態において、工具カップリング部２５とバイアスアセンブリ開口３０とを両方とも、内側ハンドル２０の近位端２２に又は遠位端２４に配置することができる。
【００２０】
少なくとも一つの半径方向に向けられたスロット３２が、内側ハンドル２０の遠位端２４とバイアスアセンブリ開口３０との間に配置される。図解された実施形態において、内側ハンドル２０は、４つのスロット３２を具備する。図１の実施形態において、バイアスアセンブリ開口３０は、半径方向に向けられたスロット３２に達する。代わりの実施形態において、バイアスアセンブリ開口３０とスロット３２との間に、スペーサー又は他の構造物が挿入される。
【００２１】
スロット３２は、好ましくは、少なくともバイアスアセンブリ開口３０の方に向けられた斜めの表面３８を具備する。図解された実施形態において、スロット３２は、両端に斜めの表面３８を具備する。あるいはまた、図１６に図解されるように、斜めの表面無しでスロット３２を形成することができる。
【００２２】
図３から８は、本発明にしたがうインターフェイス部材４０の一つの実施形態を図解する。図３から４に図解されるように、インターフェイス部材４０は，好ましくは、遠位端及び近位端４３に細長い表面４２を具備する。細長い表面４２は、半径方向に向けられたスロット３２に配置されるときに、好ましくは、長手方向軸２８と概して平行に向けられる。一つの実施形態において、インターフェイス部材４０は、細長い表面４２が内側ハンドル２０の外側表面３４と同一平面をなすような大きさに作られる。
【００２３】
図１５に関連して述べられるように、細長い表面４２は、外側ハンドル４６の内面５０に係合するように構成される。本発明において、細長い表面４２は、外側ハンドル４６から内側ハンドル２０まで、つまりは工具８０までトルクを伝える。細長い表面４２の表面領域を増加させることによって、より高いトルクを伝えることができる。あるいはまた、プラスチック等のより低いコスト材料を、本発明のハンドル２０、４６とインターフェイス要素４０とを構成するために用いることができる。細長い表面４２は、好ましくは少なくとも１２．７ミリメートルの、より好ましくは２５．４ミリメートルの、最も好ましくは少なくとも３１．７５ミリメートルの長さ”Ｌ”を有する。幅”Ｗ”は、概して、長さ”Ｌ”よりも小さい。
【００２４】
インターフェイス部材４０は、図３から８に見られるように、概して楔形である。図解された実施形態において、インターフェイス部材４０は、半径方向に向けられたスロット３２に挿入されるときに、長手方向軸２８に対して鋭角を形成する少なくとも一つの側面４４を具備する。表面４４は、バイアスアセンブリ６０と係合するためにバイアスアセンブリ開口３０のほうに向けられる（図１５参照）。別の実施形態において、インターフェイス部材４０は、長方形（図１６参照）であってもよいし、又は、様々な他の形状であってもよい。
【００２５】
図３及び４に見られるように、細長い表面４２の断面は、一般的な弓形の形状を有する。あるいはまた、細長い表面４２’の断面は、曲線をなす形状（図７参照）であってもよいし、平面形状４２’’（図８参照）であってもよいし、又は、様々な他の形状であってもよい。
【００２６】
図９から１３は、本発明にしたがう外側ハンドル４６の一つの実施形態の様々な眺めを図解する。外側ハンドル４６の外側表面４８は、好ましくは、強く握ることを容易にする複数の溝又は平坦部５４を具備する。外側表面４８は、滑り止め面を設けるためにわずかな段差又はきめを粗くした仕上げを有することもできる。あるいはまた、外側表面４８は、滑らかであってもよい。
【００２７】
外側ハンドル４６は、内側ハンドル２０を収容するための大きさに作られた一次孔５２を具備する。外側ハンドル４６の内面５３は、好ましくは滑らかである。しかしながら、外側ハンドル４６の内面５０は、好ましくは、インターフェイス部材４０の細長い表面４２と係合するために構成された構造５６を具備する。図解された実施形態において、内面５０の構造５６は、突部（peak）５６Ａと窪み部（valley）５６Ｂとを備えた曲線をなす。突部５６Ａと窪み部５６Ｂとは、形状及び／又は間隔において、規則的若しくは不規則、対称若しくは非対称等であることができる。別の実施形態において、構造５６は、複数の移動止めを備えて成る。代わりの実施形態において、内面５０’は、図１４に図解されるように、凹凸が無く滑らかであってもよい。
【００２８】
内側ハンドル２０、インターフェイス部材４０及び外側ハンドル４６を、金属、セラミック、強化材料が高分子材料に含まれた複合材料、又は、そのような材料の組み合わせ等の様々な材料から製造することができる。本発明において用いるのに適した高分子材料は、アクリロニトリル−ブタジエン−スチレン、アセタール、アクリル、ポリアミドナイロン６−６、ナイロン、ポリカーボネイト、ポリエステル、ポリエーテルエーテルケトン、ポリエチライド、ポリエーテルサルホン、ポリフェニレンサルファイド、ポリフェニレンオキシド、ポリスチレン、ポリスルホン、及び、スチレンアクリロニトリルを含む。好ましい実施形態において、構成部品２０、４０及び４６は、強化ナイロンから構成される。適した強化材料は、アラミド、カーボン、ガラス、ポリエステル若しくはマイカ繊維、又は、いくつかのその組み合わせを含む。
【００２９】
図１５は、本発明にしたがう可調整トルク制限工具５８の一つの実施形態を図解する。本トルク制限工具５８との関連では、トルクは、外側ハンドル４６上のトルク７９に対する内側ハンドル２０及び／又は工具８０上のトルク８１として理解されなければならない。特に、外側ハンドル４６に加えられるトルク７９は、機構５８の機能によって設定される限界値トルク以下のトルク８１で内側ハンドル２０及び／又は工具８０に伝えられる。
【００３０】
外側ハンドル４６は、内側ハンドル２０を実質的に囲む。図解された実施形態において、内側ハンドル２０の遠位端２４は、外側ハンドル４６における肩部７４に接する。キャップ６２が、内側ハンドル２０を所定の位置に固定するために外側ハンドル４６の一次孔５２に取付けられる。キャップ６２は、好ましくは、外側ハンドル４６上のねじ山５７（図１２〜１４参照）と係合するねじ山６５（図２１参照）を具備する。キャップ６２は、好ましくは、調節リテーナ６６に容易なアクセスを提供する開口６３をも具備する。
【００３１】
バイアスアセンブリ６０は、リテーナ６６とバイアス部材６４との間で圧縮力を持って介在させられるスプリング６８を具備する。リテーナ６６は、内側ハンドル２０の近位端２２と係合させられる。図解された実施形態において、リテーナ６６は、内側ハンドル２０上のねじ部３６にねじ止めで係合させられる。ねじ部３６によって、リテーナ６６の位置は、内側ハンドル２２に対して長手方向軸２８に沿って調整することができる。遠位端２４の方にリテーナ６６を前進させることによって、スプリング６８上の圧縮力は増加させられる。代わりの実施形態において、リテーナ６６の位置は、固定される。図解された実施形態において、スプリング６８は、通常のコイルバネである。代わりの実施形態において、スプリング６８をエラストマー材料、形状記憶合金、又は、様々な他のバイアス機器に置き換えることができる。
【００３２】
バイアス部材６４は、半径方向外側にインターフェイス部材４０をバイアスするために位置させられる。バイアス部材６４は、好ましくは、バイアスアセンブリ開口３０に配置される。あるいはまた、バイアス部材６４を半径方向に向けられたスロット３２に配置させることができる。
【００３３】
図解された実施形態において、バイアス部材６４は、長手方向軸２８に対して角度をつけられたリーディングエッジ７０を具備する。リーディングエッジ７０の角度は、好ましくは、インターフェイス部材４０上の側面４４の角度と相補する。代わりの実施形態において、リーディングエッジ７０は、長手方向軸２８に実質的に垂直ということもありえる。
【００３４】
図１６は、本発明にしたがう代わりのインターフェイス部材４０’を図解する。バイアス部材６４’は、実質的に長方形のインターフェイス部材４０’に作用する斜めのリーディングエッジ７０’を具備する。長手方向バイアス力７６によって、リーディングエッジ７０’は、半径方向外側にインターフェイス部材４０’を圧接させ、半径方向外側バイアス力７７を発生させる。
【００３５】
バイアスアセンブリ６０は、長手方向軸２８に沿って作用する長手方向バイアス力７６を作り出す。バイアス部材６４は、長手方向バイアス力７６をインターフェイス部材４０に伝える。バイアス部材６４が長手方向軸２８に沿って遠位端２４の方へ進むと、斜めの表面４４、７０のインターフェイスは、長手方向バイアス力７６を半径方向外側バイアス力７７に変換するために互いに対してスライドする。半径方向外側バイアス力７７は、外側ハンドル４６の内面５０に対して細長い表面４２を圧接する。内側ハンドル２０に対してリテーナ６６を動かすことによって、半径方向外側バイアス力７７の大きさを調節（増加又は減少）することができる。
【００３６】
図１５に見られるように、長手方向バイアス力７６がインターフェイス部材４０に作用すると、細長い表面４２が内側ハンドル２０の外側表面３４より上にあるように、細長い表面４２は移動させられる。図１５の構成において、空間７８がインターフェイス部材４０の先端部４３の間に存在し、間隙７２が内側ハンドル２０上の斜めの表面３８（図２参照）と側面４４との間に存在する。空間７８と間隙７２とは、インターフェイス部材４０の半径方向内側への多少の変位のためにクリアランスを提供する。
【００３７】
通常操作状態の間に、細長い表面４２は、概して、外側ハンドル４６の構造５６上の窪み部５６Ｂの一つと係合させられる。外側ハンドル４６に加えられるトルク７９が、工具８０で所望されるトルク８１よりも大きいときは、細長い表面４２は窪み部５６Ｂを横滑りし、突部５６Ａの一つの上を滑るように進む。窪み部５６Ｂから突部５６Ａの方への細長い表面４２の動きは、半径方向内側にインターフェイス部材４０を移動させる。同時に、バイアス部材６４は、内側ハンドル２０の近位端２２の方へ移動させられる。空間７８と間隙７２とは、インターフェイス部材４０が半径方向内側へ動くためのクリアランスを提供する。
【００３８】
いったん細長い表面４２が、突部５６Ａに達すると、トルク７９の連続適用によって、インターフェイス部材４０は、隣接する窪み部５６Ｂに進ませられる。半径方向外側バイアス力７７は、インターフェイス部材４０を隣接する窪み部５６Ｂに移動させる。
【００３９】
トルク７９が、限界値を越えて続く場合、外側ハンドル４６は、内側ハンドル２０のまわりで回転し、工具８０が限界値よりも大きなトルク８１を伝えることを防止する。一つの実施形態において、本可調整トルク制限工具５８は、どちらの方向にも加えられるトルク７９に対して同じように反応する。すなわち、外側ハンドル４６に対する内側ハンドル２０の回転は、双方向である。
【００４０】
一つの実施形態において、突部５６Ａと窪み部５６Ｂ、及び／又は、細長い表面４２は、回転方向次第では工具８０に送られるトルク８１に異なった制限を提供するために非対称である（図２５参照）。さらにもう一つの代わりの実施形態において、本可調整トルク制限工具５８は、一つの回転方向においては制限されたトルクを伝えるが、他の方向においては、概して、工具５８又はトルクを与えられるべき対象物の故障によってのみ制限される著しくより高いトルクを伝える。
【００４１】
限界値は、インターフェイス部材４０が滑るトルク７９に相応する。長手方向バイアス力７６を増加させることによって、限界値は増加させられる。同様に、長手方向バイアス力７６を減少させることによって、限界値は減少させられる。上述したように、バネ６８、故に長手方向バイアス力７６の圧縮を、ねじ部３６に対してリテーナ６６を動かすことによって調整することができる。代わりの実施形態において、スプリング６８を異なったスプリング力を有するスプリングに置き換えてもよい。
【００４２】
図１７から２０は、本発明の好ましいバイアス部材６４の様々な眺めを提供する。バイアス部材６４は、基部８６とヘッド８８とを具備する。ヘッド８８は、好ましくは、複数の切込み９０と先端部９２とを具備する。切込み９０は、インターフェイス部材４０の表面４４と係合することを意図される。あるいはまた、切込み９０を省いてもよいし、又は、平坦若しくは曲線のようないくつかの他の構成を有することもありえる。
【００４３】
図２１と２２は、今まで以上に詳しくキャップ６２を図解する。キャップ６２は、好ましくは、外側ハンドル４６上の対応するねじ山５７と係合するねじ山を表面６５上に具備する。
【００４４】
図２３は、本発明にしたがう可調整トルク制限工具１５８の代わりの実施形態を図解する。長手方向軸１２８に沿って向けられたスプリング１６８は、ボール１９６に作用する。ボール１９６上へのバイアス力１７６の適用は、半径方向外側へインターフェイス部材１４０を移動させるために作用する。内側ハンドル１２０上の肩部１９８は、ボール１９９のための押さえとして働く。外側ハンドル１４６の内面１５６と共に細長い表面１４２のインターフェイスによって、インターフェイス部材４０は、通常、セルフレベリングさせられる。
【００４５】
外側ハンドル１４６に加えられるトルク１７９が、工具カップリング部１２５で所望されるトルク１８１の限界値を超えると、部材１４０は、半径方向内側に移動させられ、内側ハンドル１２０は、外側ハンドル１４６に対して滑り、それによって、工具カップリング部１２５へのトルクの伝達を制限する。
【００４６】
図２４は、本発明にしたがう代わりの可調整トルク制限工具２００を図解する。内側ハンドル２０２は肩部２０４を具備し、当該肩部は、外側ハンドル２１０の内面２０８上で対応する肩部２０６と係合する。内側ハンドル２０２の遠位端２１２は、外側ハンドル２１０を越えて延び、様々な工具２１４と連結するのに適合した部位を提供する。図解された実施形態において、工具２１４は、遠位端２１２の外側表面２１６と取り外し可能に連結する。
【００４７】
図２５は、インターフェイス部材２６０と係合させられる外側ハンドル２５２の代わりの内面２５０の概略的な図解である。内面２５０は、外側ハンドル２５２が方向２５６に回転させられると、内側ハンドル２５１に対してトルク伝達を制限する構造２５４を具備する。インターフェイス部材２６０は、構造２５４上の表面２６４に乗りあがる第一表面部２６２を具備する。インターフェイス部材２６０の第二表面部２６６は、外側ハンドル２５２が方向２５８に回転させられると、理論上制限されないトルクを伝えるために、構造２５４上の表面２６８に接触する。
【００４８】
操作において、方向２５８で内側ハンドル２５１に加えられるトルクが限界値を超えると、内側ハンドル２５１は、方向２５８において外側ハンドル２５４内で回転する。方向２５６で内側ハンドル２５１に加えられるトルクが限界値を超えると、内側ハンドル２５１は、外側ハンドル２５２内で実質的に回転しない。
【００４９】
背景技術に記載されるものも含み、この文書中に開示される全ての特許及び特許出願は、本願明細書に引用したものとする。この発明の特定の実施形態がこの文書中に示され、記述されたとしても、これら実施形態は、本発明の原理の適用において案出されることのできる多くの考えられる特定の構成の単なる例示であることが理解されなければならない。本発明の範囲内において、これら原理にしたがい、当業者は、多数の様々な他の構成を案出することができる。
【図面の簡単な説明】
【００５０】
【図１】本発明にしたがう内側ハンドルの断面図である。
【図２】図１の内側ハンドルの斜視図である。
【図３】本発明にしたがうインターフェイス部材の側面図である。
【図４】図３のインターフェイス部材の端面図である。
【図５】図３のインターフェイス部材の斜視図である。
【図６】図３のインターフェイス部材の底面図である。
【図７】本発明にしたがう代わりのインターフェイス部材の端面図である。
【図８】本発明にしたがう代わりのインターフェイス部材の端面図である。
【図９】本発明にしたがう外側ハンドルの端面図である。
【図１０】図９の外側ハンドルの斜視図である。
【図１１】図９の外側ハンドルの側面図である。
【図１２】図９の外側ハンドルの断面図である。
【図１３】図９の外側ハンドルの斜視図である。
【図１４】本発明にしたがう代わりの外側ハンドルを図解する。
【図１５】本発明にしたがう可調整トルク制限工具の横断面図である。
【図１６】本発明にしたがう代わりのインターフェイス部材とバイアス部材とを図解する。
【図１７】本発明にしたがうバイアス部材の前面図である。
【図１８】図１７のバイアス部材の側面図である。
【図１９】図１７のバイアス部材の背面図である。
【図２０】図１７のバイアス部材の斜視図である。
【図２１】本発明にしたがう外側ハンドルのためのキャップの断面図である。
【図２２】図２１のキャップの斜視図である。
【図２３】本発明にしたがう代わりの可調整トルク制限工具の横断面図である。
【図２４】本発明にしたがう別の代わりの可調整トルク制限工具の横断面図である。
【図２５】外側ハンドルとインターフェイス部材との間のインターフェイスの概略的な図解である。
【符号の説明】
【００５１】
２０    内側ハンドル
２２    近位端
２４    遠位端
２５    工具カップリング部
２６    収容開口
２８    長手方向軸
３０    バイアスアセンブリ開口
３２    スロット
３４    内側ハンドルの外側表面
３６    ねじ部
３８    斜めの表面
４０    インターフェイス部材
４０’  インターフェイス部材
４２    細長い表面
４３    近位端
４４    側面
４６    外側ハンドル
４８    外側ハンドルの外側表面
５０    外側ハンドルの内面
５２    一次孔
５３    外側ハンドルの内面
５６    内面の構造
５６Ａ  突部
５６Ｂ  窪み部
５７    ねじ山
５８    トルク制限工具
６０    バイアスアセンブリ
６２    キャップ
６３    開口
６４    バイアス部材
６４’  バイアス部材
６５    ねじ山
６６    リテーナ
６８    スプリング
７０    リーディングエッジ
７０’  リーディングエッジ
７２    間隙
７４    肩部
７６    長手方向バイアス力
７７    半径方向外側バイアス力
７８    空間
７９    トルク
８０    工具
８１    トルク
８６    基部
８８    ヘッド
９０    切込み部
９２    先端部
１２０  内側ハンドル
１２５  工具カップリング部
１２８  長手方向軸
１４０  インターフェイス部材
１４２  細長い表面
１４６  外側ハンドル
１５６  外側ハンドルの内面
１５８  トルク制限工具
１６８  スプリング
１７６  バイアス力
１７９  トルク
１８１  トルク
１９６  ボール
１９８  肩部
１９９  押さえ
２００  トルク制限工具
２０２  内側ハンドル
２０４  肩部
２０６  肩部
２０８  外側ハンドルの内面
２１０  外側ハンドル
２１２  遠位端
２１４  工具
２１６  内側ハンドルの外側表面
２５０  内面
２５１  内側ハンドル
２５２  外側ハンドル
２５４  構造
２５６  回転方向
２５８  回転方向
２６０  インターフェイス部材
２６２  第一表面部
２６４  表面
２６６  第二表面部
２６８  表面
【図１】
0004802185.tif 000002
【図２】
0004802185.tif 000003
【図３】
0004802185.tif 000004
【図４】
0004802185.tif 000005
【図５】
0004802185.tif 000006
【図６】
0004802185.tif 000007
【図７】
0004802185.tif 000008
【図８】
0004802185.tif 000009
【図９】
0004802185.tif 000010
【図１０】
0004802185.tif 000011
【図１１】
0004802185.tif 000012
【図１２】
0004802185.tif 000013
【図１３】
0004802185.tif 000014
【図１４】
0004802185.tif 000015
【図１５】
0004802185.tif 000016
【図１６】
0004802185.tif 000017
【図１７】
0004802185.tif 000018
【図１８】
0004802185.tif 000019
【図１９】
0004802185.tif 000020
【図２０】
0004802185.tif 000021
【図２１】
0004802185.tif 000022
【図２２】
0004802185.tif 000023
【図２３】
0004802185.tif 000024
【図２４】
0004802185.tif 000025
【図２５】
0004802185.tif 000026